【事件の表示】
　平成１０年特許願第３６１３７４号「パチンコ機の配線構造」拒絶査定不服審判事件〔平成１１年　８月３１日出願公開、特開平１１−２３５４４９〕について、次のとおり審決する。
【結　論】
　本件審判の請求は、成り立たない。
【理　由】
【１】．手続の経緯・本願発明
　本願は、平成９年４月７日に出願された特願平９−８８３０６号を、平成１０年１２月１８日に分割出願したものであって、平成１２年１０月２０日付の拒絶理由に対し同年１２月１４日受付で手続補正がなされ、平成１３年１月１９日付で拒絶査定がなされ、これに対し同年２月２６日に拒絶査定に対する審判請求がなされ、当審による平成１７年５月２６日付の拒絶理由に対し同年７月２０日受付で手続補正がなされたものであって、その請求項１に係る発明（以下、「本願発明」という。）は、平成１７年７月２０日受付の手続補正書によって補正された明細書及び図面の記載からみて、特許請求の範囲の請求項１に記載された事項により特定されるとおりの、
「前面枠の後方に合成樹脂製の機構板が配置されており、その機構板に設けられた配線用樋の内部に電源配線および信号配線が収納されるパチンコ機の配線構造であって、
　導電性材料を充填した合成樹脂によって形成されており仕切板によって内部が少なくとも２つ以上の領域に仕切られ
て開口部分が左右に設けられた
Ｓ字状
にあるものと認める。
　
【２】．引用刊行物とその記載事項
１．刊行物１
　当審による拒絶の理由に引用された特開平５−３２９２６６号公報（以下「刊行物１」という）には、「パチンコ機」に関し、図面の図示とともに以下の技術事項が記載されている。
「【０００６】【実施例】以下、本発明の実施例を図面にもとづいて説明する。パチンコ機１は、図１に示すように、前面枠２の窓部の下方に球供給皿３、球供給皿３からオーバーフローした球を受ける受皿４、打球発射装置の操作部５などを設け、一側には球貸し用のカードリーダー等を付設し、ガイドレール６で区画した遊技領域７を形成した遊技盤８を上記前面枠２の窓部を裏側から塞ぐようにして装着し、該遊技盤８の背後に裏機構盤９を設けてある。
【０００７】裏機構盤９は、ほぼ中央に開口部１０を開設した合成樹脂製の基枠体１１と、該基枠体１１の所定部分に取り付けた各種ユニット化した機構体とから構成され、基枠体１１には各機構体を取り付けるために爪や凹部を形成するとともに球の流路等も形成してある。そして、機構体には、球を貯留する球タンク１２、該球タンク１２から球を整列しながら導出する球導出樋１３などの他に、該球導出樋１３により導出した球を所定数流下する球排出機構部１４、該球排出機構部１４が流下した球の流路を切り換える流路切換機構部１５、入賞球集合樋で集めたセーフ球を検出して１個宛流下するセーフ球検出機構部１６などの球処理ユニットなどがあり、球排出機構部１４と流路切換機構部１５がパチンコ球の排出動作に関係する。
【０００８】基枠体１１は、図４乃至図６に示すように、前面枠２や遊技盤８に対してほぼ平行に延在する略ロ字状の壁面部１７を有する。そして、開口部１０の上に位置する壁面部１７には球タンク１２を嵌合するタンク用窪部１８、球導出樋用取付ボス１９…、電源基板２０を取り付ける電源用窪部２１などを形成するとともに、ランプ表示器用孔２２を開設したり、球不足検出器用取付部２３を形成し、壁面部１７の前面側には図５に示すように起立片２４，２４を立設することにより配線を収納する第１配線収納空部２５を横方向に形成し、起立片２４，２４の前端縁から内側に向けて耳片２６…を一体成型することにより該第１配線収納空部２５内に臨む配線の固定部材を形成する。なお、電源用窪部２１近傍の壁面部１７にはコネクタを嵌合する開孔部２７…を複数開設する。また、電源基板２０は、電源のみに限らず中央管理装置（図示せず）と当該パチンコ機との間の信号の授受のためのデーターバス用配線の接続基板を兼ねている。」
「【００２４】本実施例では、電源基板２０と球排出制御回路３２とを接続する信号及び電源線等々を第１配線束６８として結束し、電源基板２０には電源コード６９の基端を接続する。この第１配線束６８を裏機構盤９に組み付けるには、電源基板２０を電源用窪部２１に止着し、配線束６８の途中を嵌合凹部２８内の球排出機構部１４や流路切換機構部１５の背面に沿って這わせ、流路切換機構部１５のユニットケース５９に設けた第１配線固定部材６１…により所々固定し、先端のコネクタ７０を球排出制御回路３２のコネクタに接続し、これらを前記カバー体３３で覆う。
【００２５】また、電源基板２０と遊技用制御回路３９とを接続する信号及び電源線、球不足検出信号を送る信号線、ランプ表示器への給電用線等々を第２配線束７１として結束する。この第２配線束７１を裏機構盤９に組み付けるには、電源基板２０側のコネクタ７２ａを電源基板２０に接続するとともに、コネクタ７２ｂをコネクタ開孔部２７に固定し、球不足検出器７３，７３を球不足検出器用取付部２３に取り付け、ランプ表示器７４をランプ表示器用孔２２内に嵌合し、これら検出器７３，７３やランプ表示器７４などの横方向に延在する配線束７１の途中を第１配線収納空部２５内に収納した状態で這わせるとともに耳片２６…により固定し、第１配線収納空部２５の端部で配線束を略々直角に屈曲させて第２配線収納空部７５内に収納した状態で這わせて耳片７６…や爪片７７…により固定し、配線束の下端に取り付けてあるコネクタ７８ａ，７８ｂ，７８ｃを所定の開孔部７９ａ，７９ｂ，７９ｃ内に止着する。
【００２６】この様にして各電気的部品の配線を配線空間３４内や配線収納空部２５，７５内に収納すると、パチンコ機の裏側においては殆どの配線がカバー体３３や基枠体１１によって覆い隠されるので露出することがなく、また、これらカバー体３３や基枠体１１によって物理的にも保護される。なお、カバー体３３や基枠体１１を導電性プラスチックなどで構成すると、外部からのノイズを拾うことも少なくなり、誤作動防止に有効である。」
　また、図５等を参照すると、第１、第２配線収納空間２５，７５が、樋状の形状であり、その内部に第２配線束７１が収納されており、前記第２配線束７１は、電源線、信号線等を結束したものであるから、第１、第２配線収納空間２５，７５の内部には、電源線および信号線が収納されていると認められる。
　よって、これらの記載によれば、刊行物１には、次の発明が記載されていると認められる。
「前面枠２の裏側に合成樹脂製の基枠体１１が設けられており、その基枠体１１に形成された樋状の第１、第２配線収納空間２５，７５の内部に電源線および信号線が収納されるパチンコ機の配線構造。」（以下、「刊行物１記載の発明」という。）
　
２．刊行物２
  同特開平５−３２８５７４号公報（以下「刊行物２」という）には、「床配線ピット材」に関し、図面の図示とともに以下の技術事項が記載されている。
「【００２７】図１は本発明の一実施例の床配線ピット材のカーペットを除去した設置状態を示す全体的な概略平面図、図２は本発明の一実施例の床配線ピット材と補強枠及び蓋体との関係を示す分解斜視図、図３は本発明の一実施例の床配線ピット材の設置状態を示す斜視図である。
【００２８】図に示すように、本実施例の床配線ピット材１が設置される室内には、計１２台のＯＡ機器Ｍが左右（図において左右方向）に４列、前後（図において上下方向）に３列の整列状態で設置されている。また、室内の前方中央には分電盤Ｔ1と情報盤Ｔ2 が設置されて、この分電盤Ｔ1 から引き出された電力ケーブルＷ1と情報盤Ｔ2 から引き出された情報ケーブルＷ2 とは、後述するように、ピット材１とフロアパネル２を利用して各ＯＡ機器Ｍにそれぞれ接続されている。
【００２９】床配線ピット材１は室内の中央を前後に横断するように床面Ｆ上に設置され、このピット材１の左右には、複数枚のフロアパネル２が隙間なく整列配置されている。まず、フロアパネル２の構成を説明すると、これらのフロアパネル２はポリエチレン製で、一辺が１ｍ程度の正方形板状をなしている。フロアパネル２の上面には、相互に直交する各４本の溝からなる碁盤目状の配線ピット３が形成され、この配線ピット３内には前記した電力ケーブルＷ1 や情報ケーブルＷ2 を任意に収容可能である。そして、図に示すように、床配線ピット材１の両側に位置するフロアパネル２は、その配線ピット３の左右方向の溝の一端をピット材１の側面に向けて開口させている。フロアパネル２の四隅には段差部２ａが形成され、この段差部２ａの高さはフロアパネル２の上面より一段低くなっている。なお、フロアパネル２は適度な柔軟性を備えており、床面Ｆの起伏に応じて橈んで床面Ｆとの間に間隙が生じるのを防止する。
【００３０】図４は本発明の一実施例の床配線ピット材の設置状態を示す部分拡大平面図、図５は本発明の一実施例の床配線ピット材の設置状態を示す図１のＡ−Ａ線断面図、図６は本発明の一実施例の床配線ピット材のケーブルの分岐状態を示す図１のＢ−Ｂ線断面図である。
【００３１】前記床配線ピット材１を説明すると、図に示すように、このピット材１はポリ塩化ビニル製で、上方に開口する断面略Ｅ字状をなし、その高さは、前記フロアパネル２の段差部２ａの高さと等しく設定されている。ピット材１の底面部４は平板状をなして床面Ｆに接し、その底面部４上には、左側に左側面部５ａが、右側に右側面部５ｂが、中央に中央側面部５ｃがそれぞれ垂直に立設されている。この左側面部５ａと中央側面部５ｃとの間には電力ケーブル通路６が、右側面部５ｂと中央側面部５ｃとの間には情報ケーブル通路７が、それぞれピット材１の長手方向全体にわたって上方に開口するように形成されている。電力ケーブル通路６内には分電盤Ｔ1 の電力ケーブルＷ1 が前方より引き込まれ、情報ケーブル通路７内には情報盤Ｔ2 の情報ケーブルＷ2 が前方より引き込まれ、各ケーブルＷ1,Ｗ2 はケーブル通路６，７によって後方に案内されている。
【００３２】このように本実施例のピット材１は、商用電源等の強電用ケーブルである電力ケーブルＷ1 と、通信系等の弱電用ケーブルである情報ケーブルＷ2 とを異なるケーブル通路６，７内に離間して収容するため、電磁誘導による障害の発生が防止されるとともに、設備拡張や修理改善の際のメンテナンスを容易に実施可能である。」
　よって、刊行物２には、以下の技術事項が記載されている。
「配線ピット３内に電力ケーブルＷ１および情報ケーブルＷ２が収納される場合において、ポリ塩化ビニル製で中央側面部ｃによって電力ケーブル通路６と情報ケーブル通路７の２つの領域に仕切られた断面略Ｅ字状であり、かつ、配線ピット３内に設置される配線ピット材１によって、前記電力ケーブルＷ１および情報ケーブルＷ２が、配線ピット材１の各領域に収納された状態で、前記配線ピット３内に別々に収納された点。」
　
【３】．対比
　本願発明と刊行物１記載の発明とを対比する。
　刊行物１記載の発明の「基枠体１１」、「裏側」、「設けられ」、「形成された」、「樋状の第１、第２配線収納空間２５，７５」、「電源線」、および「信号線」は、それぞれ、本願発明の「機構板」、「後方」、「配置され」、「設けられた」、「配線用樋」、「電源配線」、および「信号配線」に相当する。
　よって、両者は、
「前面枠の後方に合成樹脂製の機構板が配置されており、その機構板に設けられた配線用樋の内部に電源配線および信号配線が収納されるパチンコ機の配線構造。」
である点で一致し、以下の点で相違する。
　
＜相違点＞
　本願発明では、導電性材料を充填した合成樹脂によって形成されており仕切板によって内部が少なくとも２つ以上の領域に仕切られて開口部分が左右に設けられた断面Ｓ字状であり、かつ配線用樋内に嵌め込み設置される遮蔽部材によって、前記電源配線および信号配線が、遮蔽部材の各領域に分割収納された状態で、前記配線用樋内に別々に収納されているのに対して、刊行物１記載の発明は、遮蔽部材を用いずに電源配線および信号配線を配線用樋内に収納した点。
　
【４】．相違点についての判断
　上記相違点について検討する。
　刊行物２には、上記【２】．２．で示した技術事項が記載されており、刊行物２記載の技術事項における、「配線ピット３」、「電力ケーブルＷ１」、「情報ケーブルＷ２」、「ポリ塩化ビニル製で」、「中央側面部５ｃ」、および「ピット材１」は、それぞれ、本願発明の「配線用樋」、「電源配線」、「信号配線」、「合成樹脂によって形成されており」、「仕切板」、および「遮蔽部材」に相当するから、刊行物２には、
「合成樹脂によって形成されており仕切板によって内部が少なくとも２つ以上の領域に仕切られた断面形状であり、かつ配線用樋内に嵌め込み設置される遮蔽部材によって、前記電源配線および信号配線が、遮蔽部材の各領域に分割収納された状態で、前記配線用樋内に別々に収納された構成」
が記載されていると認められる。
　一方、複数の配線を区画する部材として、開口部分が左右に設けられた断面Ｓ字状のものを用いることは、従来周知の事項（必要であれば、実願昭５９−７３７４４号（実開昭６０−１８４６２２号）のマイクロフィルム（明細書第２頁第５行〜第１６行、第１図〜第５図）、実願昭６１−１９９２号（実開昭６２−１１６３１９号）のマイクロフィルム（第１図〜第６図）等参照）である。
　また、電源配線等から放出されるノイズを遮蔽する目的で、配線の周囲の部材に導電性材料を充填した合成樹脂を用いることも、従来周知の事項（必要であれば、特開昭６３−３０４５８４号公報（第４頁右下欄第２行〜第９行）等参照。）である。
　
　よって、刊行物１記載の発明において、刊行物２記載の上記の技術事項、および、従来周知の事項を適用し、本願発明の上記相違点に係る構成とすることは、当業者であれば容易に想到しうることである。
　
　そして、本願発明によって奏する効果も、刊行物１記載の発明、刊行物２記載の発明、および、従来周知の事項から、当業者が普通に予測できる範囲内のものであって、格別なものということができないから、本願発明は、刊行物１記載の発明、刊行物２記載の発明、および、従来周知の事項に基づき当業者が容易に発明をすることができたものといわざるを得ない。
　
【５】．むすび
　以上のことから、本願発明は、特許法第２９条第２項の規定により、特許を受けることができないものであり、本願は拒絶すべきものである。
　よって結論のとおり審決する。